(57)【特許請求の範囲】
【請求項１】
本体軸筒の内部に配置されて軸方向に移動可能に設けられたバックチャックと、このバックチャックの前方位置に設けられたフロントチャックとを備えたダブルチャックタイプの繰出鉛筆において、
前記フロントチャックとバックチャックは、それらの前部と後部とが接触した状態で軸方向に配置されていることを特徴とする繰出鉛筆。
【請求項２】
前記フロントチャックは、前記本体軸筒の前部に固定されるテーパ部に支持され、当該テーパ部の内周面にフロントチャックの軸線をバックチャックの軸線に一致させるガイドが設けられていることを特徴とする請求項１記載の繰出鉛筆。
【発明の詳細な説明】
【０００１】
【発明の属する技術分野】
本発明は、ダブルチャックタイプの繰出鉛筆に係り、更に詳しくは、機能上、消費し切ることのできない芯の残り長さ、すなわち、残芯を可能な限り少なくすることのできる繰出鉛筆に関する。
【０００２】
【従来の技術】
一般的に、繰出鉛筆は、本体軸筒の内部に収容されたチャックが一回進退する動作を介して所定量の芯送りが可能に設けられており、芯は、繰出鉛筆の前部領域を形成するテーパ部先端に配置された細管を貫通して所定量突出する構成となっている。
【０００３】
しかしながら、このような繰出鉛筆における先端の細管は、それ自体が芯に対して掴み力を有していない。従って、チャックによる掴み力が及ばない長さまで芯の消費が進むと、芯が細管内で軸方向に移動してしまい、これが安定した筆記を阻害する要因となる。そして、この場合の芯が残芯となって無駄になるという不都合を招来する。
【０００４】
そこで、最近では、芯に掴み力を付与するチャックを本体軸筒内の前後二つの領域にそれぞれ配置したダブルチャックタイプの繰出鉛筆が出現するに至っている。このタイプの繰出鉛筆は、本体軸筒内に配置されたバックチャックと、このバックチャックの前方位置に配置されるとともに、当該バックチャックと略同一軸線上に配置されて先端がテーパ部から若干突出するフロントチャックとからなり、当該フロントチャックも、それ自体が芯に掴み力を付与する構成とされている。従って、芯の消費が進んでバックチャックの掴み力が及ばなくなっても、フロントチャックが独自に掴み力を発揮しているため、芯の軸線位置を安定的に保つことが可能となり、これによって、残芯量を極力少なくすることが可能となる。
【０００５】
【発明が解決しようとする課題】
しかしながら、公知のダブルチャックタイプの繰出鉛筆は、バックチャックとフロントチャックとが軸方向に離れて配置されているため、芯がバックチャック及びフロントチャックに跨っている長さを有している場合に、芯に捩れを発生し易くなり、これが芯の折損をもたらす要因となる。
【０００６】
また、バックチャックとフロントチャックとの同一軸線に沿う直線性を維持するための中間部材が必要となり、部品点数を増加させるだけでなく、組み立ても煩雑にするという不都合を招来する。
【０００７】
【発明の目的】
本発明は、このような不都合に着目して案出されたものであり、その目的は、バックチャックとフロントチャックとの間を跨る長さの芯に捩れを生じさせることを防止し、且つ、残芯量を極力少なくして無駄を回避可能なダブルチャックタイプの繰出鉛筆を提供することにある。
【０００８】
本発明の他の目的は、バックチャックとフロントチャックとの直線性を容易に保てるようにして部品点数の削減を図ることのできる繰出鉛筆を提供することにある。
【０００９】
【課題を解決するための手段】
前記目的を達成するため、本発明は、本体軸筒の内部に配置されて軸方向に移動可能に設けられたバックチャックと、このバックチャックの前方位置に設けられたフロントチャックとを備えたダブルチャックタイプの繰出鉛筆において、
前記フロントチャックとバックチャックは、それらの前部と後部とが接触した状態で軸方向に配置される、という構成を採っている。このような構成とすれば、バックチャックとフロントチャックとの連続性が確保できるようになり、両者間に芯が跨る状態で各チャックの進退動作が行われても、従来のような捩れを生じさせにくくなり、芯の折損を防止することができる。しかも、各チャックが相互に接触する配置であるため、バックチャックを前進させる動作にフロントチャックを追従させるための中間部材も不要にでき、部品点数の削減を図ることが可能となる。
【００１０】
【発明の実施の形態】
本発明におけるフロントチャックは、前記本体軸筒の前部に固定されるテーパ部に支持され、当該テーパ部の内周面にフロントチャックの軸線をバックチャックの軸線に一致させるガイドが設けられる、という構成を採ることが好ましい。このような構成により、テーパ部を本体軸筒に固定するだけで、前述した各チャックを相互に接触させつつ同一軸線上に配置でき、ひいては、芯の繰り出し動作をスムースに行うことが可能となる。
【００１１】
【実施例】
以下、本発明の実施例を図面を参照しながら説明する。
【００１２】
図１には、本実施例に係るダブルチャックタイプの繰出鉛筆の一部を断面した全体構成図が示されている。この図において、繰出鉛筆１０は、後部外周部分にクリップ１１を備えた本体軸筒１２と、この本体軸筒１２の先端側に設けられたテーパ部１３と、前記本体軸筒１２内に配置されたバックチャック１５と、当該バックチャック１５の前方に配置されたフロントチャック１６とを備えて構成されている。芯２０は、前記バックチャック１５及びフロントチャック１６を通じて所定量ずつ繰出可能に設けられている。
【００１３】
前記バックチャック１５は、後端部が支持筒１７に支持され、その状態で支持筒１７の中央部通路１７Ａと同一線上に連なる通路１５Ａを備えて構成されている。このバックチャック１５は、本体軸筒１２の後端から突出するノック２１の押し込み動作で保持筒１７と共に所定量前進可能に設けられている。バックチャック１５の外周側にはスリーブ２５が配置され、当該スリーブ２５の前部内周にチャックリング２３が装着されている。スリーブ２５は、本体軸筒１２の内周面に接する大径部２５Ａと、この大径部２５Ａに段部２５Ｂを介して連なる小径部２５Ｃとを備えた形状に設けられている。段部２５Ｂと前記支持筒１７の外周に設けられたスペーサ２７との間にはコイルばね２８が配置され、これにより、バックチャック１５が本体軸筒１２の後方に向かう力が付与されている。また、前記小径部２５Ｃの外周側にはねじ溝２９が形成され、当該ねじ溝２９にテーパ部１３がねじ込みできるようになっている。なお、バックチャック１５は、本体軸筒１２内に組み立てられた状態で、その中心がフロントチャック１６の中心に一致するように設けられている。
【００１４】
前記フロントチャック１６は、その径方向中央部に前記各通路１５Ａ,１７Ａと同一軸線上に連なる通路１６Ａを備えているとともに、基部側に短筒部３０を備えた形状に設けられている。この短筒部３０は、テーパ部１３の内周面に設けられたリブ状のガイド３２によって外周側から中心出しされた状態で支持されており、当該ガイド３２に沿って軸方向に移動可能に設けられている。また、テーパ部１３の前部内周面にはばね受けリング３４が配置されており、このばね受けリング３４と短筒部３０の前端面との間にはコイルばね３６が配置され、フロントチャック１６は、短筒部３０の後端面がバックチャック１５の先端に接触するように力が付与されている。フロントチャック１６の前部は、最大径部３７がテーパ部１３の前端面１３Ａ位置に略一致するように設けられており、これにより、フロントチャック１６の後退移動が規制されるようになっている。
【００１５】
以上の構成において、ノック２１を一回押し込み動作する毎にバックチャック１５とフロントチャック１６が所定量前進し、この前進量に対応して芯２０がフロントチャック１６により軸方向にガイドされて繰り出されることとなる（図４参照）。この際、バックチャック１５とフロントチャック１６は、相互に接触する位置関係に設けられているため、各チャック１５,１６間に芯２０が跨る長さを有していても、芯２０に捩れを生じさせにくくなり、これに起因した従来の折損は確実に解消することができる。
【００１６】
ここで、芯２０の消費が進んで芯２０が各チャック１５,１６間を跨がない長さとなったとき、すなわち、フロントチャック１６にのみ芯２０が支持されるようになったときは、当該フロントチャック１６の独自の掴み力で芯２０が保持されこととなる。従って、芯２０の折損を防止しつつ、芯２０の軸方向移動を規制し、最小長さまで芯２０を消費することが可能となる。
【００１７】
また、テーパ部１３内に支持されるフロントチャック１６が、テーパ部１３の内周面に形成されたガイド３２内に保持された状態でバックチャック１５と同一軸線上に位置可能となるため、テーパ部１３を本体軸筒１２側にねじ込み固定するだけで、中間部材等を用いることなく各チャック１５,１６を位置決めして組み立てを行うことができ、且つ、分解も容易に行うことができる。
【００１８】
なお、本発明に係る繰出鉛筆１０は、バックチャック１５とフロントチャック１６とが相互に接した連続性が確保できれば足りるものであり、その他の構成部分は、特に限定されることなく種々の設計変更が可能である。例えば、前記実施例では、ノック２１の押し込み動作で芯２０の繰り出しを可能とするものとしたが、本体軸筒１２の外周面部分にノックを設けた、いわゆるサイドノックタイプの繰出鉛筆にも適用することができる。
【００１９】
【発明の効果】
以上説明したように、本発明によれば、フロントチャックの前部とバックチャックの後部とが接触した状態で軸方向に配置される構成を採用したから、バックチャックとフロントチャックとの連続性が確保できるようになり、両者間に芯が跨る状態で各チャックの進退動作が行われても、従来のような捩れを生じさせにくくなり、芯の折損を防止することができる。しかも、各チャックが相互に接触する配置であるため、バックチャックを前進させる動作にフロントチャックを追従させるための中間部材も不要にでき、部品点数の削減を図ることが可能となる。
【００２０】
また、前記本体軸筒の前部に固定されるテーパ部の内周面に、フロントチャックの軸線をバックチャックの軸線に一致させるガイドを設けた構成によれば、テーパ部を本体軸筒に固定するだけで、前述した各チャックを相互に接触させつつ同一軸線上に配置でき、ひいては、芯の繰り出し動作をスムースに行うことが可能となる。
【図面の簡単な説明】
【図１】実施例に係る繰出鉛筆の一部を断面した全体構成図。
【図２】図１の要部拡大断面図。
【図３】フロントチャックの概略斜視図。
【図４】芯繰り出し動作時における要部拡大断面図。
【符号の説明】
１０  繰出鉛筆
１２  本体軸部
１３  テーパ部
１５  バックチャック
１６  フロントチャック
２０  芯
【図１】
0003783513.tif 000002
【図２】
0003783513.tif 000003
【図３】
0003783513.tif 000004
【図４】
0003783513.tif 000005